(57)【要約】【課題】プルーフ／ウェイト出力時におけるユーザの操作負担を軽減する。【解決手段】画像形成システムにおいて、タッチパネル１４２は、制御部１５により表示される確認画面において、優先表示する機能項目をユーザに選択させ、制御部１５は、プルーフ／ウェイト出力処理における所定のタイミングで、タッチパネル１４２により選択された機能項目に基づいて、確認画面における機能項目の表示順を入れ替え、機能項目の表示順が入れ替えられた確認画面を表示部１４１に表示させる。【選択図】図１
2010004218.tif 000002
【特許請求の範囲】
【請求項１】
用紙に画像を形成する画像形成システムにおいて、
プルーフ／ウェイト出力処理における所定のタイミングで、複数の機能項目の設定内容を示す確認画面を表示部に表示させる制御部と、
前記制御部により表示される前記確認画面において、優先表示する機能項目をユーザに選択させる選択部と、
を備え、
前記制御部は、前記選択部により選択された機能項目に基づいて、前記確認画面における機能項目の表示順を入れ替え、機能項目の表示順が入れ替えられた確認画面を表示させることを特徴とする画像形成システム。
【請求項２】
前記選択部は、前記確認画面において、優先表示する機能項目を複数回選択可能とし、
前記制御部は、前記選択部により優先表示する機能項目が選択される度に、前記確認画面における機能項目の表示順を入れ替えることを特徴とする請求項１に記載の画像形成システム。
【請求項３】
前記選択部は、優先表示する機能項目を、複数の機能項目から成る機能項目群で選択させることを特徴とする請求項１又は２に記載の画像形成システム。
【発明の詳細な説明】
【技術分野】
【０００１】
本発明は、画像形成システムに関する。
【背景技術】
【０００２】
画像形成システムでは、ユーザによって設定された設定内容に従って画像形成処理を実行する。ユーザは、表示部に表示された画面上で、各種機能項目の設定内容の設定・変更・確認を行うことができる。
ところが、近年、画像形成システムの多機能化に伴って、ユーザが設定することができる機能項目が増加しており、全ての機能項目の設定内容を一画面に一度に表示させることが困難となっている。そのため、ユーザは、機能項目の設定内容の設定・変更・確認等を行う際に、画面を切り換える操作を行いながら、複数頁の中から目当ての機能項目を探し出さなければならず、操作負担が多大となっている。
【０００３】
上述の問題は、特に、機能項目の設定内容を微調整しながら繰り返しプルーフ／ウェイト出力処理を行う場面で顕著となる。プルーフ／ウェイト出力処理とは、出力結果に誤りがないかどうかを事前に確認するために、本出力の前に行う確認用の出力である。
プルーフ出力処理では、確認用の画像形成処理の後に、各機能項目の設定内容を確認画面上に表示させる。また、ウェイト出力処理では、確認用の画像形成処理の前に、各機能項目の設定内容を確認画面上に表示させる。これにより、ユーザは、本出力の前に、各機能項目の設定内容と出力結果とを見比べて、設定内容の確認や変更を行うことができる。
【０００４】
図２３及び図２４に、従来の画像形成システムにおけるプルーフ／ウェイト出力処理に際して、表示部に表示される確認画面の一例を示す。
図２３は、確認画面の１頁目であり、基本的な機能項目「基本設定」、「出力設定」、「原稿設定」の機能項目釦が一覧表示されている。ユーザが、図２３の確認画面の画面下部に表示された次頁釦を操作すると、図２４に例示する確認画面の２頁目が表示される。確認画面の２頁目では、図２４に示すように、画質調整に関する機能項目「コピー濃度」、「下地調整」、「裏写り防止」等の機能項目釦が一覧表示されている。ユーザが、図２４の確認画面の画面下部に表示された次頁釦を操作すると、更に次の頁が表示される。
このような確認画面において、例えば、確認画面の２頁目に存在する「カラーバランス」を調整する場合、確認画面の１頁目が表示された状態で次頁釦を操作して次頁に切り換える必要がある。そのため、カラーバランスの調整とプルーフ／ウェイト出力処理とを交互に繰り返すような場合には、画面を切り換える操作を幾度も行わなければならず、非常に手間がかかってしまう。
また、調整したい機能項目が更に後方の頁に存在する場合には、操作ステップが更に増加して、操作性が一層悪化することとなる。
【０００５】
そこで、例えば、単一ジョブ内で複数の画像形成モードを使用する機能を実行する場合に、各画像形成モードの設定内容を画面上に一括表示して、表示された項目の内容を変更することができる画像形成装置が提案されている（例えば、特許文献１参照）。
【特許文献１】特開２００５−４５３３７号公報
【発明の開示】
【発明が解決しようとする課題】
【０００６】
しかしながら、上記特許文献１であっても、画像形成モードを構成する項目数が多い場合には、変更したい項目が先頭頁に表示されるとは限らないため、依然として、変更したい項目を探し出して選択する操作に手間を要することとなる。そのため、プルーフ／ウェイト出力処理に際して設定内容を繰り返し変更するような場面に適用して、ユーザの操作負担を軽減することはできない。
【０００７】
本発明の課題は、プルーフ／ウェイト出力時におけるユーザの操作負担を軽減することにある。
【課題を解決するための手段】
【０００８】
上記課題を解決するため、請求項１に記載の発明は、用紙に画像を形成する画像形成システムにおいて、
プルーフ／ウェイト出力処理における所定のタイミングで、複数の機能項目の設定内容を示す確認画面を表示部に表示させる制御部と、
前記制御部により表示される前記確認画面において、優先表示する機能項目をユーザに選択させる選択部と、
を備え、
前記制御部は、前記選択部により選択された機能項目に基づいて、前記確認画面における機能項目の表示順を入れ替え、機能項目の表示順が入れ替えられた確認画面を表示させることを特徴とする。
【０００９】
請求項２に記載の発明は、請求項１に記載の画像形成システムにおいて、前記選択部は、前記確認画面において、優先表示する機能項目を複数回選択可能とし、
前記制御部は、前記選択部により優先表示する機能項目が選択される度に、前記確認画面における機能項目の表示順を入れ替えることを特徴とする。
【００１０】
請求項３に記載の発明は、請求項１又は２に記載の画像形成システムにおいて、前記選択部は、優先表示する機能項目を、複数の機能項目から成る機能項目群で選択させることを特徴とする。
【発明の効果】
【００１１】
請求項１に記載の発明によれば、プルーフ／ウェイト出力時におけるユーザの操作負担を軽減することができる。
【００１２】
請求項２に記載の発明によれば、機能項目の表示順を繰り返し入れ替えることが可能となって、使い勝手が向上する。
【００１３】
請求項３に記載の発明によれば、優先表示する機能項目を一つ一つ選択する手間を省いて利便性を高めることができる。
【発明を実施するための最良の形態】
【００１４】
以下、本発明に係る画像形成システムの一実施形態について、図面を参照して説明する。ただし、発明の範囲は図示例に限定されない。
【００１５】
図１は、本実施形態の画像形成システムの機能的構成を示すブロック図である。
図１に示すように、本実施形態の画像形成システム１は、画像形成装置本体１０と、これにオプション接続された後処理装置２０と、を備えて構成される。後処理装置２０は、図示しない後処理機構を備えており、画像形成装置本体１０から搬送された用紙に、パンチホール開け処理、ステイプルによる綴じ処理、用紙を折り畳む処理等の各種後処理を行う。
【００１６】
画像形成装置本体１０は、画像入力部１１、画像処理部１２、画像形成部１３、操作表示部１４、制御部１５、不揮発メモリ１６を備えている。
【００１７】
画像入力部１１は、入力された画像データ（以下、入力画像データという）を取得する処理を行い、この入力画像データを画像処理部１２及び制御部１５に出力する。本実施例の画像入力部１１は、スキャナ、あるいは外部装置から通信回線を介して送信される画像データ受信手段が用いられる。
【００１８】
画像処理部１２は、入力画像データ中の画像情報を取り出し、制御部１５から入力される指示に従って、画像情報に対して画像処理を行い、画像形成部１３に出力する。
【００１９】
画像形成部１３は、給紙トレイに収容又は載置された用紙を搬送経路を介して供給し、この用紙にレーザービームにより感光ドラムを露光走査して、制御部１５から送られる画像データに基づく静電潜像を形成し、現像材を感光ドラムに吸着させ、用紙に転写する。そして、用紙にトナーを熱定着させることにより画像を形成する。
【００２０】
操作表示部１４は、表示部１４１と、タッチパネル１４２と、を備えて構成される。表示部１４１は、ＬＣＤ（Liquid Crystal Display）等により構成され、制御部１５から入力される指示に従って、画面上に各種画面や画像の状態表示、各機能の動作状況等を表示する。タッチパネル１４２は、透明電極を格子状に配置した感圧式（抵抗膜圧式）のタッチパネルであり、表示部１４１と一体的に構成されている。表示部１４１に表示される各種画面には、操作指示を入力するための操作釦が表示されており、タッチパネル１４２は、手指やタッチペン等で操作された力点のＸＹ座標を電圧値で検出し、検出された位置信号を操作信号として制御部１５に出力することにより、操作された操作釦に対応する操作指示の入力を検出する。
タッチパネル１４２は、後述するように、選択部として、プルーフ／ウェイト出力処理に際して表示部１４１に表示される確認画面において、ユーザが、優先表示したい機能項目を選択する際に操作される。
【００２１】
ここで、本実施形態の画像形成システム１は、プルーフ出力及びウェイト出力の機能を有している。プルーフ／ウェイト出力処理では、各機能項目の設定内容に従って、画像形成部１３により確認用の画像形成処理を行うとともに、所定のタイミングで、ユーザが各機能項目の設定内容を確認・変更するための確認画面を表示部１４１に表示させる。
このプルーフ／ウェイト出力処理は、ユーザが、表示部１４１に表示される図示しないメニュー画面に表示されたプルーフ出力釦又はウェイト出力釦を、タッチパネル１４２上で操作することで実行される。プルーフ出力釦が操作された場合には、確認用の画像形成処理が実行され、その後、確認画面が表示部１４１に表示される。一方、ウェイト出力釦が操作された場合には、確認用の画像形成処理の前に、確認画面が表示部１４１に表示され、その後、確認コピー釦が操作されると、確認用の画像形成処理が実行される。
【００２２】
プルーフ／ウェイト出力処理に際して表示部１４１に表示される確認画面には、設定可能な各機能項目の機能項目釦が、設定内容の概略とともに一覧表示されており、これらの機能項目釦がタッチパネル１４２上で操作されると、後述する設定変更画面が表示されて、その機能項目の設定内容を変更できるようになっている。また、確認画面では、機能項目釦のそれぞれに対応して、各機能項目を優先表示する機能項目として選択するためのチェックボックスが表示されており、これらのチェックボックスが、タッチパネル１４２上でオン状態に操作されると、その機能項目が優先表示する機能項目（以下、優先表示項目と称する）として選択され、確認画面上で優先表示されることとなる。
ここで、優先表示とは、複数頁から成る確認画面群のうちの、可能な限り先頭に近い位置に表示されることである。このように、選択された優先表示項目が、複数頁のうちの先頭に近い位置に優先表示されることで、ユーザが確認画面上で優先表示項目の設定内容を確認・変更する際に、画面を切り換えるための操作が不要となるか、又は、極力減ることとなり、ユーザにかかる操作負担を軽減することができる。
【００２３】
制御部１５は、ＣＰＵ（Central Processing Unit）やＲＯＭ（Read Only Memory）、ＲＡＭ（Random Access Memory）等から構成されている。制御部１５は、タッチパネル１４２からの操作信号及びＲＯＭに記憶されたプログラムに従い、画像形成システム１を統括的に制御することにより、画像形成システム１における画像形成処理を実現する。
【００２４】
ＲＯＭは、図示しない確認画面表示用データを記憶している。確認画面表示用データは、設定可能な各種機能項目と、これらの各機能項目に関して設定可能な設定値に関するデータと、確認画面における各機能項目のデフォルト表示順とを含み、プルーフ／ウェイト出力処理に際して、表示部１４１に確認画面を表示させる際に読み出される。
【００２５】
不揮発メモリ１６は、画像形成システム１に係る各種設定データ等を記憶する。この不揮発メモリ１６は、プルーフ／ウェイト出力処理に際して表示部１４１に表示される確認画面において、ユーザにより設定された各機能項目の設定内容と、ユーザにより選択された優先表示項目とを、設定情報として記憶する。
【００２６】
制御部１５は、プルーフ／ウェイト出力処理の実行に際して、所定のタイミングとしての確認用の画像出力処理の前又は後に、ＲＯＭに記憶された確認画面表示用データと、不揮発メモリ１６に記憶された設定情報とを読み出して、これらのデータに基づく確認画面を表示部１４１に表示させる。
また、制御部１５は、表示部１４１に表示させた確認画面上で、ユーザにより、優先表示項目が選択された場合に、選択された優先表示項目が優先表示されるように、機能項目の表示順を入れ替えて表示させる。
【００２７】
ここで、図２のフローチャートを参照しながら、プルーフ／ウェイト出力処理に際して実行される確認画面表示処理の流れについて説明する。
【００２８】
まず、ステップＳ１において、制御部１５は、プルーフ／ウェイト出力処理において表示部１４１に表示させた確認画面上で、ユーザによる優先表示項目の選択が有るか否かを判断する。ステップＳ１において、タッチパネル１４２からの操作信号に基づいて、ユーザによる優先表示項目の選択が有ると判断すると（ステップＳ１；Ｙｅｓ）、ステップＳ２において、制御部１５は、ＲＯＭからデフォルト表示順を読み出して、選択された優先表示項目が優先表示されるように、デフォルト表示順を入れ替えて、これを確認画面用の表示順と決定する。一方、ステップＳ１において、ユーザによる優先表示項目の選択が無いと判断すると（ステップＳ１；Ｎｏ）、ステップＳ３において、制御部１５は、ＲＯＭからデフォルト表示順を読み出し、これを確認画面用の表示順と決定する。
【００２９】
次いで、ステップＳ４において、制御部１５は、ステップＳ２又はステップＳ３において決定された表示順に基づいて、機能項目を各表示頁に割り付ける処理を行う。
さらに、ステップＳ５において、制御部１５は、表示部１４１に、一部の機能項目を割付けた確認画面の１頁目を表示させ、その後、画面を切り換えるための次頁釦が操作される度に、表示部１４１の確認画面を１頁ずつ順次切り換えて、本処理を終了する。
【００３０】
図３は、優先表示項目が選択されていない場合に、表示部１４１に表示される確認画面の１頁目であり、図４は、その２頁目、図５は、その３頁目である。
優先表示項目が選択されていない場合、確認画面では、各機能項目がデフォルト表示順で表示される。デフォルト表示順での確認画面では、図３に示すように、表示順１〜３番の「基本設定」、「出力設定」、「原稿設定」の機能項目釦Ｋ１〜Ｋ３が１頁目に表示される。また、図４に示すように、表示順４〜１８番の「コピー濃度」、「下地調整」、「裏写り防止」、「赤色」、「緑色」、「青色」、「色相」、「彩度」、「明度」、「シャープネス」、「コントラスト」、「画像判別調整」、「スクリーン選択」、「カラーバランス」、「光沢モード」の機能項目釦Ｋ４〜Ｋ１８が２頁目に表示される。また、図５に示すように、表示順１９〜２２番の「とじ代」、「枠／折目消し」、「小冊子」、「章分け」の機能項目釦Ｋ１９〜Ｋ２２が３頁目に表示される。
【００３１】
また、図３〜図５の確認画面の画面下部には、次頁に切り換えるための次頁釦Ｋ２３、前頁に切り換えるための前頁釦Ｋ２４、選択された機能項目の設定内容を変更するための設定変更釦Ｋ２５、選択された機能項目の設定を解除するための設定解除釦Ｋ２６、確認用の画像形成処理を実行するための確認コピー釦Ｋ２７、この確認画面を閉じるための閉釦Ｋ２８が、操作が有効な釦は活性状態で、操作が無効な釦は非活性状態で表示されている。
【００３２】
このような確認画面において、ユーザが、例えば、図４に示す確認画面の２頁目に表示されている「明度」の機能項目釦Ｋ１２に対応するチェックボックスをオン状態とすることにより、「明度」を優先表示項目として選択すると、制御部１５は、選択された優先表示項目「明度」が優先表示されるように、機能項目の表示順を入れ替える。すなわち、優先表示項目として選択されたデフォルト表示順１２番の「明度」の表示順が１番となり、それに伴って、デフォルト表示順の確認画面では「明度」よりも前に存在した表示順１〜１１番の機能項目の表示順が、２〜１２番に一つずつ繰り下げられる。その後、制御部１５は、確認用の画像形成処理の後に、入れ替えられた表示順に従って、図６及び図７に示す確認画面を表示部１４１に表示させる。
【００３３】
図６は、優先表示項目として「明度」が選択されている場合に、表示部１４１に表示される確認画面の１頁目であり、図７は、その２頁目である。
図６に示すように、デフォルト表示順の確認画面では２頁目（図４参照）に表示されていた「明度」の機能項目釦Ｋ１２と、その設定内容の概略（例えば、「普通」）とが、１頁目の先頭位置に表示されている。また、これに伴い、デフォルト表示順での確認画面の１頁目（図３参照）に表示されていた「基本設定」、「出力設定」、「原稿設定」の表示位置と、デフォルト表示順の確認画面の２頁目（図４参照）における「明度」よりも後に表示されていた「シャープネス」、「コントラスト」、「画像判別調整」、「スクリーン選択」、「カラーバランス」、「光沢モード」の表示位置とが変更されている。
【００３４】
また、優先表示項目を、複数の機能項目から成る機能項目群で選択することも可能である。この機能は、ユーザが、図示しない設定画面上で、優先表示項目を機能項目群で選択する一括選択モードを設定した場合に実行される。
【００３５】
一括選択モードでは、例えば、画質調整に関する機能項目から成る機能項目群、ページ編集に関する機能項目から成る機能項目群、画像位置に関する機能項目から成る機能項目群の何れかを、優先表示項目として一括して選択することができる。
ここで、画質調整に関する機能項目群には、「コピー濃度」、「下地調整」、「裏写り防止」、「赤色」、「緑色」、「青色」、「色相」、「彩度」、「明度」、「シャープネス」、「コントラスト」、「画像判別調整」、「スクリーン選択」、「カラーバランス」、「光沢モード」が含まれる。ページ編集に関する機能項目群には、「小冊子」、「章分け」が含まれる。画像位置に関する機能項目群には、「とじ代」、「枠／折目消し」が含まれる。
【００３６】
図８〜図１１に、一括選択モードが設定されている場合に、プルーフ／ウェイト出力処理に際して表示部１４１に表示される確認画面の一例を示す。
図８〜図１１に示すように、一括選択モードにおける確認画面では、画面上部に、画質調整に関する機能項目群を優先表示項目として選択するための釦Ｋ２９、ページ編集に関する機能項目群を優先表示項目として選択するための釦Ｋ３０、画像位置に関する機能項目群を優先表示項目として選択するための釦Ｋ３１が表示されている。これらの釦Ｋ２９、Ｋ３０、Ｋ３１が、タッチパネル１４２上でユーザにより操作されると、制御部１５は、選択された機能項目群に含まれる各機能項目のチェックボックスを自動的にオン状態とし、選択された機能項目群を優先表示するように、機能項目の表示順を入れ替える。
【００３７】
例えば、画質調整に関する機能項目群を優先表示項目として選択するための釦Ｋ２９が操作された場合、優先表示項目として選択された画質調整に関する機能項目群の機能項目「コピー濃度」、「下地調整」、「裏写り防止」、「赤色」、「緑色」、「青色」、「色相」、「彩度」、「明度」、「シャープネス」、「コントラスト」、「画像判別調整」、「スクリーン選択」、「カラーバランス」、「光沢モード」の表示順が１〜１５番となる。そして、これに伴って、デフォルト表示順の確認画面ではこれらの機能項目群の前に存在した表示順１〜３番の機能項目の表示順が、１６〜１８番に繰り下げられる。その後、制御部１５は、入れ替えられた表示順に従って、図８の確認画面を表示部１４１に表示させる。
【００３８】
図８は、画質調整に関する機能項目群を優先表示項目として選択するための釦Ｋ２９が操作された場合に、表示部１４１に表示される確認画面の１頁目であり、図９は、その２頁目である。
図８に示すように、デフォルト表示順の確認画面では２頁目（図４参照）に表示されていた画質調整に関する機能項目群を構成する「コピー濃度」、「下地調整」、「裏写り防止」、「赤色」、「緑色」、「青色」、「色相」、「彩度」、「明度」、「シャープネス」、「コントラスト」、「画像判別調整」、「スクリーン選択」、「カラーバランス」、「光沢モード」の機能項目釦Ｋ４〜Ｋ１８が、１頁目にまとめて表示されている。また、これに伴い、図９に示すように、デフォルト表示順の確認画面では１頁目（図３参照）に表示されていた「基本設定」、「出力設定」、「原稿設定」の機能項目釦Ｋ１〜Ｋ３が２頁目に表示されている。
【００３９】
また、図１０は、画像位置に関する機能項目群を優先表示項目として選択するための釦Ｋ３１が操作された場合に、表示部１４１に表示される確認画面の１頁目であり、図１１は、その２頁目である。
図１０に示すように、デフォルト表示順の確認画面では、３頁目（図５参照）に表示されていた画像位置に関する機能項目群を構成する「とじ代」、「枠／折目消し」の機能項目釦Ｋ１９、Ｋ２０が、１頁目の先頭の位置に表示されている。また、これに伴い、デフォルト表示順の確認画面では１頁目（図３参照）に表示されていた「基本設定」、「出力設定」、「原稿設定」の機能項目釦Ｋ１〜Ｋ３の表示位置が変更されている。
【００４０】
次に、図１２〜図２２を参照しながら、プルーフ／ウェイト出力処理に際して行われる確認画面表示処理の具体例について説明する。図１２〜図２２は、優先表示項目として「カラーバランス」が選択される場合に実行される確認画面表示処理と、「カラーバランス」に加えて更に、優先表示項目として「とじ代」が選択される場合に実行される確認画面表示処理と、を説明するための図である。
【００４１】
まず、制御部１５は、プルーフ／ウェイト出力処理における確認用の画像形成処理を実行する際に、図１２に示す画面を表示部１４１に表示させる。次いで、制御部１５は、不揮発メモリ１６に設定情報として記憶された各機能項目の設定内容に従って、画像形成部１３により確認用の画像形成処理を行い、用紙を排紙すると、図１３に示す確認画面の１頁目を表示部１４１に表示させる。
【００４２】
図１３は、デフォルト表示順での確認画面の１頁目であり、デフォルト表示順１番の「基本設定」の機能項目釦Ｋ１が先頭位置に表示されている。ユーザは、確認用の画像形成処理により画像形成された用紙の画像を確認して、カラーバランスの調整が必要であると考えると、複数頁の確認画面の中から「カラーバランス」の機能項目釦Ｋ１７を探し出すため、図１３の確認画面の画面下部に表示された次頁釦Ｋ２３をタッチパネル１４２上で操作する。制御部１５は、次頁釦Ｋ２３の操作を検出すると、図１４に示す確認画面の２頁目を表示させる。図１４に示すように、確認画面の２頁目には、デフォルト表示順４〜１８番の機能項目の機能項目釦Ｋ４〜Ｋ１８が表示されている。
【００４３】
次に、ユーザは、図１４に示す確認画面の２頁目において、「カラーバランス」に対応するチェックボックスをタッチパネル１４２上で操作する。制御部１５は、「カラーバランス」に対応するチェックボックスの操作を検出すると、「カラーバランス」が優先表示項目として選択されたと判断し、図１５に示すように、「カラーバランス」に対応するチェックボックスをオン状態とする。
【００４４】
次に、ユーザは、図１５の確認画面において、「カラーバランス」の機能項目釦Ｋ１７をタッチパネル１４２上で操作する。制御部１５は、「カラーバランス」の機能項目釦Ｋ１７の操作を検出すると、「カラーバランス」が設定変更項目として選択されたとして、図１６に示すように、この機能項目釦Ｋ１７を強調表示するとともに、画面下部の設定変更釦Ｋ２５を活性状態とする。
次に、ユーザは、図１６の確認画面に表示された設定変更釦Ｋ２５をタッチパネル１４２上で操作する。制御部１５は、「カラーバランス」が設定変更項目として選択された状態で、設定変更釦Ｋ２５の操作を検出すると、図１７に示すように、カラーバランスの設定内容を変更するための設定変更画面を表示部１４１に表示させる。
ユーザは、図１７の設定変更画面において、タッチパネル１４２上でカラーバランスの設定内容を変更した後に、ＯＫ釦Ｋ３２又はキャンセル釦Ｋ３３を操作する。制御部１５は、設定変更画面におけるＯＫ釦Ｋ３２の操作を検出すると、変更された設定内容に基づいて、不揮発メモリ１６の設定情報を更新する。
【００４５】
設定内容の更新が完了すると、制御部１５は、図１８に示す確認画面の１頁目を表示部１４１に表示させる。このとき、制御部１５は、優先表示項目として選択された「カラーバランス」を優先表示するように、各機能項目の表示順を入れ替えて表示させる。これにより、デフォルト表示順での確認画面では２頁目（図１４〜図１６参照）に表示されていた「カラーバランス」の機能項目釦Ｋ１７が、１頁目の先頭位置に表示されることとなる。
【００４６】
次に、ユーザは、図１８の確認画面の画面下部に表示された確認コピー釦Ｋ２７をタッチパネル１４２上で操作する。制御部１５は、確認コピー釦Ｋ２７の操作を検出すると、不揮発メモリ１６の設定情報に従って、確認用の画像形成処理を実行する。さらに、用紙の排紙後に、再び、図１８の確認画面を、確認画面の１頁目として表示部１４１に表示させる。
【００４７】
ユーザは、確認用の画像形成処理により排紙された用紙上の画像と、確認画面に表示された各機能項目の設定内容とを確認して、再度、カラーバランスの調整が必要であると考える場合には、図１８に示す確認画面の１頁目の先頭位置に表示された「カラーバランス」の機能項目釦Ｋ１７をタッチパネル１４２上で操作する。そして、この操作に伴って有効化された設定変更釦Ｋ２５を操作し、設定変更釦Ｋ２５の操作に基づいて表示部１４１に表示される設定変更画面上でカラーバランスの設定内容を変更する。
このように、「カラーバランス」が優先表示項目として選択された後は、確認画面の１頁目の先頭位置に「カラーバランス」の設定項目釦Ｋ１７が優先表示されることとなるため、ユーザは、「カラーバランス」の設定内容を確認・変更する際に、確認画面を２頁目に切り換える必要が無いこととなる。したがって、プルーフ／ウェイト出力処理において、カラーバランスの調整を何度も繰り返す場合の操作ステップが減って操作性が向上する。
【００４８】
以上の処理により、カラーバランスの調整が完了し、次に、ユーザが、確認用の画像形成処理により排紙された用紙の画像を確認して、とじ代の調整が必要であると考えると、複数頁の確認画面の中から「とじ代」の機能項目釦を探し出すため、図１８に示す確認画面の画面下部に表示された次頁釦Ｋ２３をタッチパネル１４２で操作する。さらに、この操作によって表示された２頁目の確認画面において、再度、画面下部に表示された次頁釦Ｋ２３を操作する。制御部１５は、表示部１４１に２頁目の確認画面が表示された状態で、次頁釦Ｋ２３の操作を検出すると、図１９に示す確認画面の３頁目を表示部１４１に表示させる。
図１９に示すように、確認画面の３頁目では、「とじ代」、「枠／折目消し」、「小冊子」、「章分け」の機能項目釦Ｋ１９〜Ｋ２９が表示されている。
【００４９】
次に、ユーザは、図１９の確認画面において、「とじ代」に対応するチェックボックスをタッチパネル１４２上で操作する。制御部１５は、「とじ代」に対応するチェックボックスの操作を検出すると、「とじ代」が優先表示項目として選択されたと判断し、図２０に示すように、このチェックボックスをオン状態とする。また、ユーザは、図２０の確認画面において、「とじ代」の機能項目釦Ｋ１９をタッチパネル１４２上で操作する。制御部１５は、「とじ代」の機能項目釦Ｋ１９の操作を検出すると、「とじ代」が設定変更項目として選択されたとして、この機能項目釦を強調表示するとともに、画面下部の設定変更釦Ｋ２５を活性状態とする。
【００５０】
次に、ユーザは、図２０の確認画面の画面下部に表示された設定変更釦Ｋ２５を、タッチパネル１４２上で操作する。制御部１５は、「とじ代」が設定変更項目として選択された状態で、設定変更釦Ｋ２５の操作を検出すると、図２１に示すように、とじ代の設定内容を変更するための設定変更画面を表示部１４１に表示させる。
ユーザは、図２１の設定変更画面において、タッチパネル１４２上でとじ代の設定内容を変更した後に、ＯＫ釦Ｋ３４又はキャンセル釦Ｋ３５を操作する。制御部１５は、設定変更画面におけるＯＫ釦Ｋ３４の操作を検出すると、変更された設定内容に基づいて、不揮発メモリ１６の設定情報を更新する。
【００５１】
設定内容の更新が完了すると、制御部１５は、図２２に示す確認画面の１頁目を表示部１４１に表示させる。このとき、制御部１５は、優先表示項目として選択された「カラーバランス」及び「とじ代」を優先表示するように、各機能項目の表示順を入れ替えて表示させる。これにより、デフォルト表示順での確認画面では２頁目に表示されていた「カラーバランス」の機能項目釦Ｋ１７と、デフォルト表示順での確認画面では３頁目に表示されていた「とじ代」の機能項目釦Ｋ１９とが、１頁目の先頭に近い位置に表示されることとなる。
なお、「カラーバランス」及び「とじ代」のように、選択された優先表示項目が複数ある場合、これらの優先表示項目同士の表示順は、デフォルト表示順に従う。
【００５２】
次に、ユーザは、図２２の確認画面の画面下部に表示された確認コピー釦Ｋ２７をタッチパネル１４２上で操作する。制御部１５は、確認コピー釦Ｋ２７の操作を検出すると、不揮発メモリ１６の設定情報に従って、確認用の画像形成処理を実行する。さらに、用紙の排紙後に、再び、図２２の確認画面を、確認画面の１頁目として表示部１４１に表示させる。
【００５３】
ユーザは、確認用の画像形成処理により排紙された用紙上の画像と、確認画面に表示された各機能項目の設定内容とを確認して、再度、とじ代の調整が必要であると考える場合には、図２２に示す確認画面の１頁目に表示された「とじ代」の機能項目釦Ｋ１９をタッチパネル１４２上で操作する。さらに、この操作に伴って有効化された設定変更釦Ｋ２５を操作し、設定変更釦Ｋ２５の操作に基づいて表示部１４１に表示される設定変更画面上でとじ代の設定内容を変更する。
このように、「とじ代」が優先表示項目として選択された後は、確認画面の１頁目の先頭に近い位置に、「とじ代」の機能項目釦Ｋ１９が優先表示されることとなるため、ユーザは、「とじ代」の設定内容を確認・変更する際に、確認画面を３頁目に切り換える必要が無いこととなる。したがって、プルーフ／ウェイト出力処理において、とじ代の調整を何度も繰り返す場合の操作ステップが減って操作性が向上する。
【００５４】
また、所望の機能項目を優先表示項目として選択した後に、調整が完了して調整の必要が無くなった場合には、その機能項目に対応するチェックボックスをオン状態からオフ状態に操作することで、その機能項目を元の位置に戻すことも可能である。
【００５５】
さらに、確認画面上に表示された機能項目の設定内容が変更された場合に、その機能項目が優先表示項目として選択されたと判断して、優先表示を行うように構成されていても良い。より具体的には、ユーザが、確認画面において、機能項目釦と設定変更釦Ｋ２５をタッチパネル１４２上で操作して、その機能項目の設定内容を変更すると、制御部１５は、その機能項目が優先表示項目として選択されたと判断し、優先表示項目として選択された機能項目が優先表示されるように、各機能項目の表示順を入れ替えて表示させる。これによれば、機能項目の設定内容を変更する操作の他に、その機能項目を選択する操作（例えば、チェックボックスをオン状態とする操作）を別途行う必要が無いこととなり、ユーザの操作負担を更に軽減することができる。
【００５６】
以上説明した本実施形態における画像形成システム１によれば、プルーフ／ウェイト出力処理における所定のタイミングで表示される確認画面において、優先表示したい機能項目を選択すると、機能項目の表示順が入れ替えられて表示されることとなる。したがって、プルーフ／ウェイト出力時におけるユーザの操作負担を軽減することができる。すなわち、プルーフ／ウェイト出力処理において、複数の頁に亘って表示される多数の機能項目のうちの一部の機能項目を繰り返し変更するような場面であっても、確認画面において、選択部により選択された機能項目を他の機能項目に優先して表示させることができるため、ユーザが確認画面上で優先表示項目の設定内容を確認・変更する際に、画面を切り換えるための操作が不要となるか、又は、減ることとなり、複数頁の確認画面の中から目的の機能項目を探し出す場合と比較して、ユーザの操作が軽減することとなる。
【００５７】
また、優先表示したい機能項目が選択される度に、確認画面における機能項目の表示順が入れ替わるため、機能項目の表示順を繰り返し入れ替えることが可能となって、使い勝手の良いものとなる。
【００５８】
また、優先表示する機能項目を、複数の機能項目から成る機能項目群で選択することができるため、優先したい複数の機能項目を一括して選択することが可能となり、優先表示する機能項目を一つ一つ選択する手間を省いて利便性を高めることができる。
【図面の簡単な説明】
【００５９】
【図１】本発明に係る本実施形態の画像形成システムの機能的構成を示すブロック図である。
【図２】プルーフ／ウェイト出力処理に際して実行される確認画面表示処理の流れを示すフローチャートである。
【図３】優先表示項目が選択されていない場合に、表示部に表示される確認画面の１頁目を例示する図である。
【図４】優先表示項目が選択されていない場合に、表示部に表示される確認画面の２頁目を例示する図である。
【図５】優先表示項目が選択されていない場合に、表示部に表示される確認画面の３頁目を例示する図である。
【図６】優先表示項目として「明度」が選択されている場合に、表示部に表示される確認画面の１頁目を例示する図である。
【図７】優先表示項目として「明度」が選択されている場合に、表示部に表示される確認画面の２頁目を例示する図である。
【図８】画質調整に関する機能項目群を優先表示項目として選択するための釦が操作された場合に、表示部に表示される確認画面の１頁目を例示する図である。
【図９】画質調整に関する機能項目群を優先表示項目として選択するための釦が操作された場合に、表示部に表示される確認画面の２頁目を例示する図である。
【図１０】画像位置に関する機能項目群を優先表示項目として選択するための釦が操作された場合に、表示部に表示される確認画面の１頁目を例示する図である。
【図１１】画像位置に関する機能項目群を優先表示項目として選択するための釦が操作された場合に、表示部に表示される確認画面の２頁目を例示する図である。
【図１２】優先表示項目として「カラーバランス」が選択される場合に実行される確認画面表示処理を説明するための図である。
【図１３】優先表示項目として「カラーバランス」が選択される場合に実行される確認画面表示処理を説明するための図である。
【図１４】優先表示項目として「カラーバランス」が選択される場合に実行される確認画面表示処理を説明するための図である。
【図１５】優先表示項目として「カラーバランス」が選択される場合に実行される確認画面表示処理を説明するための図である。
【図１６】優先表示項目として「カラーバランス」が選択される場合に実行される確認画面表示処理を説明するための図である。
【図１７】優先表示項目として「カラーバランス」が選択される場合に実行される確認画面表示処理を説明するための図である。
【図１８】優先表示項目として「カラーバランス」が選択される場合に実行される確認画面表示処理を説明するための図である。
【図１９】優先表示項目として「カラーバランス」が選択されている状態において、更に、優先表示項目として「とじ代」が選択される場合に実行される確認画面表示処理を説明するための図である。
【図２０】優先表示項目として「カラーバランス」が選択されている状態において、更に、優先表示項目として「とじ代」が選択される場合に実行される確認画面表示処理を説明するための図である。
【図２１】優先表示項目として「カラーバランス」が選択されている状態において、更に、優先表示項目として「とじ代」が選択される場合に実行される確認画面表示処理を説明するための図である。
【図２２】優先表示項目として「カラーバランス」が選択されている状態において、更に、優先表示項目として「とじ代」が選択される場合に実行される確認画面表示処理を説明するための図である。
【図２３】従来の画像形成システムにおいて、プルーフ／ウェイト出力処理に際して表示部に表示される確認画面の１頁目を例示する図である。
【図２４】従来の画像形成システムにおいて、プルーフ／ウェイト出力処理に際して表示部に表示される確認画面の２頁目を例示する図である。
【符号の説明】
【００６０】
１      画像形成システム
１４１  表示部
１４２  タッチパネル（選択部）
１５    制御部
１６    不揮発メモリ
【図１】
2010004218.tif 000003
【図２】
2010004218.tif 000004
【図３】
2010004218.tif 000005
【図４】
2010004218.tif 000006
【図５】
2010004218.tif 000007
【図６】
2010004218.tif 000008
【図７】
2010004218.tif 000009
【図８】
2010004218.tif 000010
【図９】
2010004218.tif 000011
【図１０】
2010004218.tif 000012
【図１１】
2010004218.tif 000013
【図１２】
2010004218.tif 000014
【図１３】
2010004218.tif 000015
【図１４】
2010004218.tif 000016
【図１５】
2010004218.tif 000017
【図１６】
2010004218.tif 000018
【図１７】
2010004218.tif 000019
【図１８】
2010004218.tif 000020
【図１９】
2010004218.tif 000021
【図２０】
2010004218.tif 000022
【図２１】
2010004218.tif 000023
【図２２】
2010004218.tif 000024
【図２３】
2010004218.tif 000025
【図２４】
2010004218.tif 000026